(57)【特許請求の範囲】
【請求項１】
自転車または同様の車両のハンドルバー用のハンドグリップ（１）であって、ハンドルバーの軸に対応する軸方向（Ｘ）に従って延在する管状群（２、３）を含み、前記管状群（２、３）はハンドルバーの端が嵌合されるのに好適であり、前記ハンドグリップはさらに、前記管状群（２、３）と関連付けられたパッド手段（１２、２１）と、ハンドグリップ（１）をハンドルバーに取付けるための手段（１５、２３）とを含み、
前記管状群は、ハンドルバーの端が嵌合されるのに好適な内側本体（２）と、ハンドグリップ（１）の軸方向長さを調節するよう前記方向（Ｘ）に従って摺動可能に内側本体（２）が嵌合される第２の外側本体（３）とを含み、
前記内側本体（２）および前記外側本体（３）は入れ子式の管状群を構成する、ハンドグリップ。
【請求項２】
前記パッド手段（１２、２１）は、少なくとも１つの第１のパッド（１２）を含む、請求項１に記載のハンドグリップ。
【請求項３】
前記パッド手段（１２、２１）は、少なくとも１つの第２のパッド（２１）を含む、請求項２に記載のハンドグリップ。
【請求項４】
前記外側本体（３）は端（５）を含み、前記内側本体（２）は前記外側本体（３）の軸方向運動用の当接部を定めるネック（４）を含む、請求項１から３のいずれかに記載のハンドグリップ。
【請求項５】
前記ハンドグリップ（１）は、前記内側本体（２）の前記ネック（４）と前記外側本体（３）の前記端（５）との間に挿入可能な少なくとも１つのスペーサリング（６）を含む、請求項４に記載のハンドグリップ。
【請求項６】
前記内側本体（２）の前記ネック（４）と前記少なくとも１つのスペーサリング（６）との間には、ガスケット（７）がある、請求項５に記載のハンドグリップ。
【請求項７】
前記内側本体（２）および／または前記外側本体（３）は、前記内側本体（２）および／または前記外側本体（３）間の相互回転を回避するものの、同時に前記軸「Ｘ」に従ったそれらの相互摺動を可能にするのに好適な、整合する形状の摺動手段を含む、請求項１から６のいずれかに記載のハンドグリップ。
【請求項８】
前記整合する形状の摺動手段は、前記内側本体（２）の外側円筒面および／または前記外側本体（３）の内側円筒面上にそれぞれ配置された１つ以上の整合する長手方向溝（８、９）を含む、請求項７に記載のハンドグリップ。
【請求項９】
前記内側本体（２）は、その外側円周面上に、一連の空洞（１０）または穴もしくは突起を含む、請求項１から８のいずれかに記載のハンドグリップ。
【請求項１０】
前記外側本体（３）は、その内側円筒面上に、前記内側本体（２）に対する前記外側本体（３）の部分に軸方向基準を与えるのに好適な、前記空洞（１０）または穴もしくは突起と整合する突起または穴を含む、請求項９に記載のハンドグリップ。
【請求項１１】
前記外側本体（３）は、前記内側本体（２）上に挿入される第１の管状部（１３）を含む、請求項１から１０のいずれかに記載のハンドグリップ。
【請求項１２】
前記外側本体（３）は、自転車のハンドルバーのチューブと内部で接触するのに好適な、前記第１の管状部（１３）よりも直径が小さい第２の管状端部（１４）を含む、請求項１１に記載のハンドグリップ。
【請求項１３】
前記外側本体（３）は、前記内側本体（２）上に挿入される第１の管状部（１３）を含み、
前記外側本体（３）の前記第１の管状部（１３）は、外側本体（３）の管状部（１３）の表面に実質的に垂直に配置された、前記少なくとも１つの第１のパッド（１２）の厚さを減少させるのに、かつ前記ハンドグリップ（１）を全体的に軽くするのに好適な１つ以上のシャフト形状本体（１６）を含む、請求項１１に記載のハンドグリップ。
【請求項１４】
前記外側本体（３）の前記第１の管状部（１３）は、軸方向および周方向に延在する１つ以上の窓（１７）を含む、請求項１１に記載のハンドグリップ。
【請求項１５】
前記少なくとも１つの第１のパッド（１２）は、管状の前記内側本体および外側本体（２および３）に対して径方向に延在する、ユーザの手のための延長された支持部として作用するのに好適な幅広部（１８）を含む、請求項２に記載のハンドグリップ。
【請求項１６】
前記少なくとも１つの第１のパッド（１２）は開口部（１９、２０）を含む、請求項２に記載のハンドグリップ。
【請求項１７】
前記少なくとも１つの第２のパッド（２１）は、前記少なくとも１つの第１のパッド（１２）の前記開口部（１９、２０）に位置付け可能である、請求項３に記載のハンドグリップ。
【請求項１８】
前記少なくとも１つの第１のパッド（１２）および／または前記少なくとも１つの第２のパッド（２１）は、ユーザのための良好な把持および良好な快適性を促進するよう形作られたプロファイルを有する、請求項３に記載のハンドグリップ。
【請求項１９】
前記ハンドグリップ（１）の前記外側本体（３）を自転車のハンドルバーに取付けるための手段（１５、２３）は、ノッチ（２２）を含む取付リング（１５）と、係止手段（２３）、たとえばねじ手段または同等の手段とを含む、請求項１から１８のいずれかに記載のハンドグリップ。
【請求項２０】
前記取付リング（１５）は、前記外側本体（３）の前記端（１４）と結合するのに好適な第１の内面（２４）および第２の内面（２５）を含む、請求項１９に記載のハンドグリップ。
【請求項２１】
前記取付リング（１５）は、前記取付リング（１５）を前記ハンドグリップ（１）と角度的にかつ軸方向に関連付けるのに好適な、前記外側本体（３）において好適に予測される対応するスロットまたは窪み（２７）に挿入可能なたとえばリブ（２６）の形をした、前記内面（２４）上に位置付け可能な内部突起を含む、請求項１９に記載のハンドグリップ。
【請求項２２】
前記取付リング（１５）は、貫通していてもいなくてもよく、前記ノッチ（２２）とは実質的に正反対の位置に位置付けられた、１つ以上の穴またはスロットの形をした薄化手段（２８）を含む、請求項１９に記載のハンドグリップ。
【請求項２３】
前記ハンドグリップ（１）は、ハンドルバーのチューブの穴を外から閉じるためのプラグ（２９）を含み、それは前述の穴に圧力挿入可能であり、および／または、前記外側本体（３）の前記端（１４）および／またはハンドルバーのチューブの端と前記取付リング（１５）との間に挿入可能である、請求項１９に記載のハンドグリップ。
【請求項２４】
管状の前記内部本体（２）は、硬質および半硬質材料、金属またはプラスチック、たとえば熱可塑性ポリマー、たとえばポリプロピレンから作られる、請求項１から２３のいずれかに記載のハンドグリップ。
【請求項２５】
前記外側本体（３）は、硬質および半硬質材料、たとえば熱可塑性ポリマー、たとえばポリプロピレン、もしくは同様の強度および軽さの他のプラスチック材料または金属材料から作られる、請求項１から２４のいずれかに記載のハンドグリップ。
【請求項２６】
前記内側本体（２）の前記ネック（４）、および前記少なくとも１つのスペーサリング（６）は、ユーザの手と接触するのに好適な、少なくとも部分的に軟らかい材料から作られる、請求項５に記載のハンドグリップ。
【請求項２７】
前記少なくとも１つの第１のパッド（１２）は、たとえばショアＡ硬度が約５０の比較的硬いゴムから作られる、請求項２に記載のハンドグリップ。
【請求項２８】
前記少なくとも１つの第２のパッド（２１）は、軟らかい材料から、たとえば熱可塑性ポリマーから、および／またはゲル、たとえばポリウレタンゲルから、および／またはフォームタイプもしくは非フォームタイプの材料、たとえば熱可塑性エラストマー、シリコーン、小型弾性ポリウレタン（ＰＵ）、微小細胞ポリウレタン、フォーム状エチルビニルアセテート（ＥＶＡ）などから、および／または連続性の不均質材料、たとえばゲルとコルクとの混合物、ゲルと相変化材料との混合物などで、および／または非連続性の均質材料、たとえば、自由に互いに重なり合い、手の形および外部応力に完全に適合できる微小球体の袋、ポリウレタンフォームまたはエチルビニルアセテートフォームの層の上に配置されたゲルの層などで作られる、請求項３に記載のハンドグリップ。
【請求項２９】
前記少なくとも１つの第２のパッド（２１）は、透明材料から部分的にまたは全体的に作られ、および／または透明材料の窓を含む、請求項３に記載のハンドグリップ。
【請求項３０】
前記少なくとも１つの第２のパッド（２１）は、前記少なくとも１つの第１のパッド（１２）に接続されている、請求項３に記載のハンドグリップ。
【請求項３１】
前記取付リング（１５）は、金属、たとえばスチール、アルミニウムなどから、もしくはポリマー材料、たとえばファイバや球体で強化された熱可塑性または熱硬化性材料、ナノ帯電材料、ファイバガラスなどの複合材料、カーボンファイバまたはアラミドファイバを有する樹脂などから作られる、請求項１９に記載のハンドグリップ。
【発明の詳細な説明】
【技術分野】
【０００１】
発明の技術分野
この発明は、自転車のハンドルバー用のハンドグリップに関する。
【０００２】
一般に、この発明に従ったハンドグリップは、二輪または三輪車両のハンドルバーにおける使用だけでなく、スポーツ用および非スポーツ用装置、たとえばトレッキングポール、杖などにおいて、ならびにユーザの手から生じる高い応力を放出するのに好適なハンドグリップを必要とするすべての装置において使用可能である。
【背景技術】
【０００３】
従来技術
自転車または同様の車両のハンドルバーにおいて使用するための、もしくは他の同様の装置において使用するための、ユーザの手のための延長された支持の部分を有するハンドグリップは、たとえば文献ＵＳ４３０８７６２、ＦＲ１２２１７０９、ＤＥ６８８５４１、ＷＯ９８２４３９５、ＦＲ８７０８６２から公知である。
【０００４】
これらの文献では、ユーザの掌の延長された支持のための実質的に翼状の部分を含み、応力、特に手にのしかかる重量をより幅広い表面にわたって伝達する、ハンドグリップが提示されている。
【０００５】
これらのハンドグリップは、寸法およびハンドルバーへの取付の点、ならびにハンドグリップの弾性特性および減衰特性の点の双方において、ユーザの手に適合することが難しい、という欠点を有している。
【発明の概要】
【発明が解決しようとする課題】
【０００６】
発明の目的
この発明の目的は、従来技術を改良することである。
【０００７】
この発明の別の目的は、弾性特性および減衰特性が改良されたハンドグリップを有することである。
【０００８】
この発明の別の目的は、サイズ適合の可能性があるハンドグリップを有することである。
【０００９】
この発明の別の目的は、ユーザの手との接触圧力のより良好な分布を有することにより、公知の従来技術のハンドグリップより快適なハンドグリップを有することである。
【００１０】
この発明の別の目的は、ハンドルバーへの取付のより確実な角度調節を可能にするハンドグリップを有することである。
【課題を解決するための手段】
【００１１】
この発明の一局面によれば、これらの目的は、請求項１の定義に従ったハンドグリップによって解決される。
【００１２】
これらのおよび他の目的は、この発明の好ましく有利な実施形態を引用する従属請求項によって達成される。
【００１３】
図面の簡単な説明
この発明のさらなる特徴および利点は、表示目的および非限定的目的のために添付図面に示すハンドグリップの詳細な説明からより明らかになるであろう。
【図面の簡単な説明】
【００１４】
【図１】この発明に従ったハンドグリップの上面斜視図である。
【図２】図１に従ったハンドグリップの底面斜視図である。
【図３】前述の図面に従ったハンドグリップの分解斜視図である。
【図４】前述の図面に従ったハンドグリップの一部の詳細の斜視図である。
【図５】前述の図面に従ったハンドグリップの他の詳細の拡大斜視図である。
【図６】前述の図面に従ったハンドグリップの他の詳細の拡大斜視図である。
【発明を実施するための形態】
【００１５】
発明の実施形態
提示を簡潔にするため、以下に、自転車ハンドルバー用ハンドグリップについて、それがハンドルバーを有するあらゆる他のタイプの車両にも、さらにはスポーツ用またはそれ以外のあらゆるタイプの装置用のグリップおよびハンドルにも使用可能であるという理解の下に言及する。
【００１６】
図面を参照して、参照番号１は、内側本体２を含むハンドルバー用のハンドグリップを示しており、内側本体２は比較的硬質の材料から作られ、長手方向軸「Ｘ」を有する実質的に管状の形状を有し、ハンドルバー（図示せず）または同様の要素、たとえばグリップ、ハンドルなどの端に嵌合されるのに好適である。管状の内部本体２は、硬質および半硬質材料、金属またはプラスチック、たとえば熱可塑性ポリマー、たとえばポリプロピレンから作ることができる。
【００１７】
管状の外側本体３は、軸「Ｘ」に従って摺動可能に管状の内側本体２に嵌合され、前記管状の外側本体３は、それが本体２に嵌合されることを可能にするより大きい寸法の内部空洞以外は、管状の内側本体２と実質的に同様である。
【００１８】
内側本体２および外側本体３によって形成されるアセンブリは、ハンドグリップ１の軸方向長さを調節可能にする入れ子式の群を構成する。
【００１９】
内側本体２は、外側本体３の軸方向運動用の当接部を定めるネック４を含む。ネック４と、ネック４に当接可能な外側本体３の端５との間には、外形がネック４と同様のいくつかのスペーサリング６が挿入可能であり、それらにより、通常約１００ｍｍ〜１４０ｍｍである異なる長さのハンドグリップを得ることが可能になる。
【００２０】
ネック４、外側本体３の端５、および各スペーサリング６の間にガスケット７を挿入することが可能であり、それはたとえばＯリングであってもよい。
【００２１】
非限定的な一例として、最小長さ、すなわち約１００ｍｍのハンドグリップを得るには、本体２および３はスペーサリング６なしでそれぞれのネック４および端５で互いに当接し、中間の長さ、すなわち約１２０ｍｍのハンドグリップを得るには、ネック４と外側本体３の端５との間に１つのスペーサリング６が挿入され、最大長さ、すなわち約１４０ｍｍのハンドグリップを得るには、ネック４と端５との間に２つのスペーサリング６が挿入されることが考えられる。この最後の形態は図１〜３に示すものである。
【００２２】
ネック４およびスペーサリング６の材料は、ユーザの手と接触するのに好適な、少なくとも部分的に軟らかいタイプのものであってもよい。
【００２３】
本体２および３間の相互回転を回避するために、内側本体２の外側円筒面および外側本体３の内側円筒面上にそれぞれ配置された整合する摺動手段、すなわち１つ以上の整合する長手方向溝８および９を予測することが可能であり、それらは内側本体２上での外側本体３の軸「Ｘ」に従った摺動を可能にするものの、回転を可能にはしない。
【００２４】
また、図５の詳細図によれば、内側本体２の外側円筒面上に、外側本体３の内側円筒面上に予測されるそれぞれの突起（図示せず）に整合する一連の空洞１０を予め定められた距離で設けることが可能である。このように、内側本体２に対する、空洞１０の予め定められた距離に対応する外側本体３の段階的な軸方向基準を得ることができる。内側本体２の空洞１０は、外側本体３の対応する要素（突起または穴（図示せず））を有する穴または突起によって置き換え可能である。
【００２５】
外側本体３は内側本体２を覆って搭載され、前記外側本体３は比較的硬質の材料から作られ、少なくとも１つの第１のパッド１２用の締結具として作用する。
【００２６】
以下の説明によれば、外側本体３は、本体２上に挿入される第１の管状部１３と、自転車のハンドルバー（図示せず）のチューブと内部で接触し、取付リング１５と外部で接触するのに好適な、直径がより小さい第２の管状端部１４とを含む。
【００２７】
外側本体３は、第１の管状部１３の１つ以上の母線に沿って配置された１つ以上のシャフト形状本体１６を含む。
【００２８】
シャフト形状本体１６は、外側本体３の第１の管状部１３に対して実質的に径方向に延在しており、異なる長さおよび形状を有していてもよい。たとえば、それらは図面に示すような円筒形状を有していてもよく、もしくは円錐形状、角柱形状、または任意の他の細長い形状を有していてもよい。
【００２９】
特に、シャフト形状本体１６は、外側本体３の第１の管状部１３の表面に実質的に垂直であってもよい。
【００３０】
外側本体３の第１の管状部１３はまた、軸方向および周方向に延在する１つ以上の窓１７と、内側本体２の外面の対応する溝８と結合するのに好適であり、図４ではより明確かつ簡単にするために外側溝８と同様に再現された、１つ以上の長手方向軸９とを含む。
【００３１】
外側本体３は、硬質および半硬質材料、たとえばポリプロピレンなどの熱可塑性ポリマーから、もしく同様の強度および軽さの他のプラスチック材料または金属材料から作られてもよい。
【００３２】
少なくとも１つの第１のパッド１２は、管状の本体２および３に対して径方向に延在する、ユーザの手のための延長された支持部として作用する幅広部１８を含む。
【００３３】
少なくとも１つの第１のパッド１２は、ユーザの手のための良好な支持を提供するために、たとえばショアＡ硬度が約５０の比較的硬いゴムから作られてもよい。
【００３４】
このゴムは、たとえば幅広部１８では或る材料厚さを超えない必要があるかもしれず、一方、ハンドルバーに最も近い区域では、少なくとも１つの第１のパッド１２の厚さは、快適な支持を提供するには不十分かもしれない。
【００３５】
したがって、シャフト形状本体１６および窓１７は、少なくとも１つの第１のパッド１２の材料厚さの調節を可能にする。
【００３６】
厚さが大きい場合、少なくとも１つの第１のパッド１２の材料は、材料の収縮による穴または凹みなどの欠陥を被るかもしれず、材料の重量も過度になるかもしれない。このため、シャフト形状本体１６は、少なくとも１つの第１のパッド１２の厚さが幅広部１８で減少されることを可能にし、また、外側本体３の材料が少なくとも１つの第１のパッド１２の材料ほど重くならないよう、ハンドグリップ１が全体的に軽くなることを可能にする。
【００３７】
図面、特に図３に示すことによれば、少なくとも１つの第１のパッド１２は、少なくとも１つの第２のパッド２１が受けられることを可能にする開口部１９〜２０を含む。
【００３８】
ハンドルバーに最も近い区域における窓１７は、少なくとも１つの第２のパッド２１の厚さが増加することを可能にし、したがって、ユーザの手が把持するためのより良好な支持快適性が存在する。
【００３９】
少なくとも１つの第２のパッド２１は、軟らかい材料から、たとえば熱可塑性ポリマーまたはゲル、たとえば透明タイプのポリウレタンゲルから、もしくはこの目的に好適な他の材料から作られてもよい。
【００４０】
たとえば、熱可塑性エラストマー、シリコーン、小型弾性ポリウレタン（ＰＵ）、微小細胞ポリウレタン、フォーム状エチルビニルアセテート（ＥＶＡ）などといったフォームタイプもしくは非フォームタイプの材料が使用されてもよい。そのような少なくとも１つの第２のパッド２１はまた、連続性の不均質材料、たとえばゲルとコルクとの混合物、ゲルと相変化材料との混合物などで、および非連続性の均質材料、たとえば、自由に互いに重なり合い、手の形および外部応力に完全に適合できる微小球体の袋、ポリウレタンフォームまたはエチルビニルアセテートフォームの層の上に配置されたゲルの層などで作られてもよい。
【００４１】
主として幅広部１８の区域、およびハンドグリップの円筒部を有する幅広部１８の先細区域に位置する、少なくとも１つの第２のパッド２１は、ユーザのための良好な把持および良好な快適性を促進するよう構成されたプロファイルを有していてもよい。
【００４２】
少なくとも１つの第２のパッド２１は、外側本体３を含む少なくとも１つの第１のパッド１２が収容された金型（図示せず）において前述の少なくとも１つの第１のパッド１２上にパッド材料を鋳造または注入することによって得られてもよい。
【００４３】
一旦セットされると、少なくとも１つの第２のパッド２１の材料は、少なくとも１つの第１のパッド１２に接続する。
【００４４】
この発明のある形態によれば、少なくとも１つの第２のパッド２１は、透明材料から部分的にまたは全体的に作られてもよく、またはそれは透明材料から作られた窓を含んでいてもよい。この透明部のおかげで、少なくとも１つの第２のパッド２１は、その下の区域が見えることを可能にする。
【００４５】
そのような外から見える区域は、ハンドグリップ自体に特定のかつ個別化する特性を与える図形要素、および／または図面、および／または文字、および／または装飾要素、および／または色付けなどを有していてもよい。
【００４６】
少なくとも１つの第１のパッド１２および少なくとも１つの第２のパッド２１は各々、硬度特性が同様のまたは異なる１つ以上のタイプのパッドを含んでいてもよい。
【００４７】
ハンドグリップ１の取付リング１５はノッチ２２を含み、それは、係止手段２３、たとえばねじ手段または同等の手段を介して、リング１５自体の内径が以下の説明に従ってそれをハンドルバーに固定するよう減少されることを可能にする。
【００４８】
取付リング１５は、外側本体３の端１４と結合するのに好適な、第１の内面２４および直径がより小さい第２の内面２５を含む。第２の内面２５は、外側本体３の端１４と、外見および安全性のためにハンドルバーチューブの周縁とを覆うよう構成可能である。
【００４９】
取付リング１５をハンドグリップ１と角度的にかつ軸方向に関連付けるために、取付リング１５は内部突起を含んでいてもよい。たとえば、取付リングの内面２４は、実質的に円周の弧に沿って配置されたリブ２６を含み、それは、外側本体３において好適に予測される対応するスロットまたは窪み２７に挿入される。
【００５０】
全体として、ハンドグリップ１とハンドルバーチューブとの取付は非常に安全であり、一方、ユーザによって容易に実行される。
【００５１】
取付リング１５は、金属、たとえばスチール、アルミニウムなどから、もしくはポリマー材料、たとえばファイバや球で強化された熱可塑性または熱硬化性材料、ナノ帯電材料、ファイバガラスなどの複合材料、カーボンファイバまたはアラミドファイバを有する樹脂などから作られてもよい。
【００５２】
取付リング１５はまた、ノッチ２２とは実質的に正反対の位置にある薄化手段２８を含んでいてもよい。そのような薄化手段２８は取付リング１５において「ヒンジ」効果を生み出し、ハンドルバーチューブに対するハンドグリップのより強力で最適な係止を可能にする。
【００５３】
図面に示す、好ましいものの非限定な実施形態では、薄化手段２８は、貫通している、または貫通していない１つ以上の穴またはスロットによって規定されるであろう。
【００５４】
にもかかわらず、薄化手段２８の任意の他の構成が、添付された請求項によって表現される保護の範囲の限定からこの理由により逸脱することなく予測され得る、ということが理解されるべきである。
【００５５】
ハンドグリップ１はまた、ハンドルバーのチューブの穴を外から閉じるためのキャップ２９を含み、それは前述の穴に圧力挿入可能であり。代替的な一実施形態では、キャップ２９は、外側本体３の端１４および／またはハンドルバーのチューブの端と取付リング１５との間に挿入可能である。
【００５６】
このように考えられたこの発明は、さまざまな修正および変更を経てもよく、それらはすべて、請求項の保護の範囲によって網羅される。
【図１】
0005938398.tif 000002
【図２】
0005938398.tif 000003
【図３】
0005938398.tif 000004
【図４】
0005938398.tif 000005
【図５】
0005938398.tif 000006
【図６】
0005938398.tif 000007